(57)【要約】  ＩＤカードホルダー１にＩＤカード２０を入れて携行する場合は、ＩＤカード２０と遮蔽部材２１とが大部分で重なりあっている。そのためＩＤカード２０は電磁波を発することができない。ＩＤカード２０をスキミングすることはできない。ＩＤカード２０から情報を読み取らせる場合には、ＩＤカード２０をずらして遮蔽部材２１との重なり部分を少なくする。  情報記憶媒体２３が搭載されたカード１１に重なる部材に、前記情報記憶媒体２３に記憶された情報の読み取りを許容する読取許容部３２ａと、前記情報記憶媒体２３に記憶された情報の読み取りを不可に遮蔽する遮蔽部３２とを備えた。
2007055295.tif 000002
【特許請求の範囲】
【請求項１】
袋部を有し、当該袋部にＩＤカードが配されるＩＤカードホルダーにおいて、前記袋部に遮蔽部材又は金属層を有する部材が同封され、袋部の表面側又は裏面側の少なくともいずれかに開口又は溝が設けられたことを特徴とするＩＤカードホルダー。
【請求項２】
袋部を有し、当該袋部にＩＤカードが配されるＩＤカードホルダーにおいて、複数の袋部を有し、その内の少なくとも一つの袋部に前記ＩＤカードを挿入し、他の少なくとも一つの袋部に遮蔽部材又は金属層を有する部材が挿入され、折り畳み可能であって、折り畳まれた状態の時にＩＤカードと遮蔽部材が重なることを特徴とするＩＤカードホルダー。
【請求項３】
遮蔽部材は、ラミネートシートの間に金属層と樹脂層を有するフィルムが挿入されて成るものであることを特徴とする請求項１又は請求項２に記載のＩＤカードホルダー。
【請求項４】
袋部の内面側に凸部が設けられていることを特徴とする請求項１乃至請求項３のいずれかに記載のＩＤカードホルダー。
【請求項５】
袋部の内面側にガイドが設けられていることを特徴とする請求項１乃至請求項４のいずれかに記載のＩＤカードホルダー。
【請求項６】
袋部を有し、当該袋部にＩＤカードが配されるＩＤカードホルダーにおいて、前記袋部に遮蔽部材又は金属層を有する部材が同封され、前記袋部の内部には仕切が設けてあり、袋部の表面側又は裏面側の少なくともいずれかに開口又は溝が設けられたことを特徴とするＩＤカードホルダー。
【請求項７】
前記遮蔽部材又は金属層を有する部材には突出部が設けてあり、前記突出部は袋部に設けた前記開口又は溝に沿って摺動可能であることを特徴とする請求項６に記載のＩＤカードホルダー。
【請求項８】
情報記憶媒体が搭載されたカードに重なる部材に、前記情報記憶媒体に記憶された情報の読み取りを許容する読取許容部と、前記情報記憶媒体に記憶された情報の読み取りを不可に遮蔽する遮蔽部とを備えたことを特徴とするカードのスキミング防止構造。
【請求項９】
前記読取許容部を、前記部材の一部を切り欠いて形成した切欠部で構成したことを特徴とする請求項８に記載のカードのスキミング防止構造。
【請求項１０】
前記部材は、情報の読み取りを不可能にする遮蔽状態と、情報の読み取りを可能にする読取許容状態とを切り替え可能であることを特徴とする請求項８または請求項９に記載のカードのスキミング防止構造。
【請求項１１】
前記読取許容部には、移動遮蔽部材が移動可能に配置されることを特徴とする請求項８乃至請求項１０のいずれかに記載のカードのスキミング防止構造。
【請求項１２】
前記遮蔽部が、カードの厚み内における情報記憶媒体部分の一方側に層状に形成されたことを特徴とする請求項８乃至請求項１１のうちのいずれかに記載のカードのスキミング防止構造。
【請求項１３】
請求項８乃至１２のカードのうちのいずれかのスキミング防止構造を備えたことを特徴とするＩＤカードホルダー。
【発明の詳細な説明】
【技術分野】
【０００１】
本発明は、特にＩＣチップが埋め込まれたＩＤカードを挿入するのに適したＩＤカードホルダーと、非接触型ＩＣ媒体や磁気ストライプなどの情報記憶媒体が搭載されたカードからのスキミング（不正読み取り）を防止するためのカードのスキミング防止構造に関するものである。
【背景技術】
【０００２】
放送局や官庁等の第三者が出入りする機会が多い施設や、大手企業の様に従業員が多い企業では、従業員等と第三者等とを識別するために従業員等にＩＤカードを発行する場合が多い。ＩＤカードには本人の写真の他、氏名、所属部署、役職等が記入されている。そして従業員等は、ＩＤカードを透明なＩＤカードホルダーに入れて常時携行する。
ＩＤカードホルダーは、透明な樹脂で成形されたものであり、ＩＤカードを挿入する袋部を有している。
そして従業員等は、ＩＤカードホルダーに紐を通して首から下げる。
身分の照会が必要な場合は、ＩＤカードホルダーを警備員等に示す。ＩＤカードホルダーは透明であるから、警備員等はＩＤカードホルダーに挿入されたＩＤカードを目視することができ、身分の確認を行うことができる。
【特許文献１】特開２００５−１２１６８４号
【発明の開示】
【発明が解決しようとする課題】
【０００３】
ＩＤカードは、従来、写真等によって本人であるか否かを確認するものに過ぎなかったが、近年、ＩＤカードの高機能化が求められている。例えば、ＩＤカードにＩＣチップや磁気記録媒体を内蔵させ、機密書類が保管されている部屋の鍵として機能させたり、特定のデータにアクセスするためのキーとしての機能を付加することが考えられる。
またＩＤカードにクレジットカードや銀行カード（キャッシュカード）の機能を付加することも考えられる。この様なＩＤカードのＩＣチップ等には口座情報や暗証番号等の重要な情報が記録されることとなる。【０００４】
すなわち、個人を識別して金銭を電子的に取り扱う媒体として、キャッシュカードやクレジットカード、デビットカードなどが利用されている。このようなカードには、個人を識別するＩＤや、チャージされている金額などの情報を記憶する情報記憶媒体として磁気ストライプが備えられ、該磁気ストライプに記憶した情報に基づいて取引が行われる。【０００５】
ところで、近年、スキミングと称される不正行為が問題となっている。スキミングは、他人のカードから口座情報や暗証番号等を読み出し、預金を引き出したり物品を購入する行為である。すなわち、スキミングにより取得された情報は、カードの偽造に利用され、偽造されたカ一ドによって商品の購入や預金の引き出し等が勝手に行われてしまうことになる。【０００６】
上記磁気ストライプ以外にも情報記憶媒体として、接触型や非接触型のＩＣ媒体が存在する。このＩＣ媒体は、ＩＣチップ内に制御部と記億部を備えたもので、その記憶部には、磁気ストライプと比較して大量の情報を記憶することができる。このため、情報を暗号化して記憶しておくことも可能となり、磁気ストライプに比べて高度なセキュリティレベルを確保することができる。【０００７】
このようなＩＣ媒体のうち特に非接触型のＩＣ媒体は、磁気ストライプや接触型ＩＣ媒体のように読取装置にカードを挿入せずとも、財布やカードケース等に入れたままで読取装置と通信できるため、非常に利便性が高く、注目されている。【０００８】
しかし、非接触で通信できるがために、非接触型ＩＣ媒体を搭載したカードでは、上述したスキミングの如き不正行為の可能な場面が、磁気ストライプを搭載したカードの場合に比べて多い。【０００９】
本出願時において、スキミング犯の検挙数は少なく、その手口は定かではない。しかしながら、ＩＣチップが埋め込まれたカードには非接触形のものもあり、当該非接触形のカードについては、通勤途上の混雑に紛れてのスキミングが可能ではないかと言われている。即ち非接触形のカードは、樹脂カードにコイルとＩＣチップが埋め込まれており、コイルに磁界を与えることで誘導電流を起こしてＩＣチップのデータを読みだすことができる。そのため所定の機能を備えたカードリーダを近づけるだけでＩＣチップに記録された口座情報や暗証番号等を読み取ることができる。【００１０】
従って満員電車の中の様に他人と近接した状態にある場合、近接した位置に居る者がカードリーダを保持しておれば、カードの口座番号等を盗み取られる可能性がある。また近年、カードリーダの性能が向上し、カードと同等サイズのカードリーダも市販されている。この様な現状から、ＩＤカード所持者のスキミングに対する不安が高く、スキミングを防止する対策が望まれている。【００１１】
従ってＩＤカードにクレジットカードや銀行カードの機能を付加する場合には、スキミングに対する対策をとることが望ましい。【００１２】
これまで、アルミなどの金属が電磁波を遮断する性質を利用した技術が提案されている。たとえば下記特許文献２の収納ケースや、特許文献３のスキミング防止封筒などである。
【特許文献２】特開２００４−１８８２１５号公報
【特許文献３】登録実用新案第３１１６３４５号公報
【００１３】
しかし、これまで提案されているものは、カードをスキミングから守るために、電磁波を遮断する手段を備えたケースでカードを覆うというものである。カードの全体を電磁波遮断手段で覆うので、スキミングは防止できるものの、カードを正当に使用するときはカードをケースから取り出さなければならず不便である。
また、カード自体に電磁波遮断手段が講じられたものは存在しない。【００１４】
一方、ＩＤカードは、業務上使用するものであるから、他のカードに比べて使用する頻度が高く、正規の使用時においては、迅速、且つ簡便に情報の読み出しを行うことができることが必要である。【００１５】
そこで本発明は、従来技術の上記した問題点に注目し、正規の使用時においては、迅速、且つ簡便に情報の読み出しを行うことができ、且つスキミングされる危険性も少ないＩＤカードホルダーを提供することと、カードのスキミング防止構造を提供することを課題とするものである。
【課題を解決するための手段】
【００１６】
上記した課題を解決するための本発明のＩＤカードホルダーは、袋部を有し、当該袋部にＩＤカードが配されるＩＤカードホルダーにおいて、前記袋部に遮蔽部材又は金属層を有する部材が同封され、袋部の表面側又は裏面側の少なくともいずれかに開口又は溝が設けられたことを特徴とするものである。【００１７】
本発明のＩＤカードホルダーは袋部を有し、この袋部にＩＤカードが挿入されるが、本発明では、同じ袋部に遮蔽部材や金属層を有する部材が同封される。遮蔽部材は、電磁波や磁気を遮蔽する部材である。また金属層を有する部材も同様の遮蔽機能があるが、特に金属層を有する部材は、ＩＤカードが内蔵するＩＣチップ等のアンテナの機能を阻害することができる場合がある。
そのためＩＤカード及び遮蔽部材等が正規の位置にある場合にはスキミングされることはない。
また本発明のＩＤカードホルダーは袋部の表面側又は裏面側の少なくともいずれかに開口又は溝が設けられている。そのため開口又は溝の部位は、ＩＤカード又は遮蔽部材等が外部に露出しており、外部から手指によって中のＩＤカードや遮蔽部材等に触れることができる。
そして本発明のＩＤカードホルダーでは、ＩＤカードの情報を読み出させる場合、手指によって中のＩＤカード又は遮蔽部材等を移動させ、両者を相対的にずらす。その結果、ＩＤカードの一部が遮蔽部材等と重ならない状態となり、情報の読み出しが可能となる。【００１８】
また、本発明のＩＤカードホルダーは、袋部を有し、当該袋部にＩＤカードが配されるＩＤカードホルダーにおいて、複数の袋部を有し、その内の少なくとも一つの袋部に前記ＩＤカードを挿入し、他の少なくとも一つの袋部に遮蔽部材又は金属層を有する部材が挿入され、折り畳み可能であって、折り畳まれた状態の時にＩＤカードと遮蔽部材が重なることを特徴とするものである。【００１９】
本発明のＩＤカードホルダーについても袋部を有し、この袋部にＩＤカードが挿入される。また本発明のＩＤカードホルダーは、複数の袋部を有し、他の少なくとも一つの袋部に遮蔽部材又は金属層を有する部材が挿入する。そして携行時においては、ＩＤカードホルダーを折り畳み、ＩＤカードと遮蔽部材等を重ねる。そのためＩＤカードがスキミングされることはない。
ＩＤカードの情報を読み出させる場合は、ＩＤカードホルダーを開き、ＩＤカードを遮蔽部材等から離す。【００２０】
本発明のＩＤカードホルダーは、遮蔽部材は、ラミネートシートの間に金属層と樹脂層を有するフィルムが挿入されて成るものである。【００２１】
本発明では、遮蔽部材としてラミネートシートの間に金属層と樹脂層を有するフィルムが挿入されてなるものが使用されているので、ＩＤカードと遮蔽部材の相互間の滑りがよい。そのためＩＤカード又は遮蔽部材を容易に移動させることができる。【００２２】
本発明のＩＤカードホルダーは、袋部の内面側に凸部が設けられていることを特徴とするものである。【００２３】
本発明のＩＤカードホルダーでは、袋部の内面側に凸部が設けられているので、袋部の内面側がＩＤカードや遮蔽部材等と密着せず、滑りがよい。【００２４】
本発明のＩＤカードホルダーは、袋部の内面側にガイドが設けられていることを特徴とするものである。【００２５】
本発明のＩＤカードホルダーでは、袋部の内面側にガイドが設けられているので、ＩＤカードや遮蔽部材のスライド移動が円滑である。【００２６】
本発明のＩＤカードホルダーは、袋部を有し、当該袋部にＩＤカードが配されるＩＤカードホルダーにおいて、前記袋部に遮蔽部材又は金属層を有する部材が同封され、前記袋部の内部には仕切が設けてあり、袋部の表面側又は裏面側の少なくともいずれかに開口又は溝が設けられている。【００２７】
本発明のＩＤカードホルダーでは、遮蔽部材又は金属層を有する部材とＩＤカードとは、仕切を隔てて袋部に収容されるので、遮蔽部材又は金属層を有する部材とＩＤカードとは接触していない。よって、いずれか一方を袋部に対して摺動させても、他方は袋部に対して摺動することがない。その結果、遮蔽部材又は金属層を有する部材とＩＤカードは、確実に相対移動させることができる。よって、ＩＤカードの使用時には、遮蔽部材又は金属層を有する部材とＩＤカードとを確実にずらすことができ、ＩＤカードの不使用時には、遮蔽部材又は金属層を有する部材とＩＤカードとを重ね合わせておき、スキミングを阻止することができる。すなわち、袋部に仕切を設けることによって、ＩＤカードの使用時と不使用時とを円滑に切り替えることができるようになる。【００２８】
本発明のＩＤカードホルダーは、前記遮蔽部材又は金属層を有する部材には突出部が設けてあり、前記突出部は袋部に設けた前記開口又は溝に沿って摺動可能である。【００２９】
本発明のＩＤカードホルダーでは、遮蔽部材又は金属層を有する部材には突出部が設けていることにより、突出部を押し出すことによって遮蔽部材又は金属層を有する部材を袋部及びＩＤカードに対して容易に摺動させることができるようになる。【００３０】
本発明は、情報記憶媒体が搭載されたカードに重なる部材に、前記情報記憶媒体に記憶された情報の読み取りを許容する読取許容部と、前記情報記憶媒体に記憶された情報の読み取りを不可に遮蔽する遮蔽部とを備えたことを特徴とするカードのスキミング防止構造である。【００３１】
本発明を実施すると、読取許容部によって情報記憶媒体の情報の読み取りが可能になり、遮蔽部によって情報の読み取りを不可能にすることができる。【００３２】
本発明のカードのスキミング防止構造は、読取許容部を、前記部材の一部を切り欠いて形成した切欠部で構成した。【００３３】
本発明を実施すると、読取許容部を容易に構成することができる。【００３４】
本発明のカードのスキミング防止構造は、前記部材が、情報の読み取りを不可能にする遮蔽状態と、情報の読み取りを可能にする読取許容状態とを切り替え可能にした。【００３５】
本発明を実施すると、情報の読み取りを不可能にする遮蔽状態と、情報の読み取りを可能にする読取許容状態とを容易に切り替えることができる。【００３６】
本発明のカードのスキミング防止構造は、前記読取許容部に、移動遮蔽部材を移動可能に配置した。【００３７】
本発明を実施すると、移動遮蔽部材を設けることにより、前記カードに重なる部材自体を移動させずに済む。よって、より簡単に情報記憶媒体の情報の読み取りを不可能にする遮蔽状態と、情報の読み取りを可能にする読取許容状態とを切り替えることができる。【００３８】
本発明のカードのスキミング防止構造は、前記遮蔽部を、カードの厚み内における情報記憶媒体部分の一方側に層状に形成した。【００３９】
本発明を実施すると、スキミング防止構造を簡素化することができる。【００４０】
本発明は、カードのスキミング防止構造を備えたＩＤカードホルダーである。【００４１】
本発明のＩＤカードホルダーは、前述の各構成を備えることにより、スキミングを良好に防止することができると共に、使用時には、容易に情報記憶媒体の情報を読み取り可能な状態にすることができる。
【発明の効果】
【００４２】
本発明のＩＤカードホルダーは、正規の使用時においては、迅速、且つ簡便に情報の読み出しを行うことができる。その一方で、本発明のＩＤカードホルダーは、スキミングされる危険性が少ない。
また、この発明によれば、読取許容部の存在により情報の正当な読み取りが可能でありながらも、遮蔽部によってカードをスキミングから保護することができる。
【図面の簡単な説明】
【００４３】
【図１】本発明の実施形態のＩＤカードホルダーの斜視図である。
【図２】図１のＩＤカードホルダーの分解斜視図である。
【図３】図１のＩＤカードホルダーにＩＤカードと遮蔽部材を同封した状態を示しており、（ａ）はその正面図であり、（ｂ）は断面図である。
【図４】本実施形態で採用する遮蔽部材の斜視図である。
【図５】図４の遮蔽部材の断面図である。
【図６】図４の遮蔽部材で使用する積層フィルムの拡大断面図である。
【図７】図１のＩＤカードホルダー１にＩＤカード２０と遮蔽部材２１を同封し、情報を読み取らせる際におけるＩＤカードホルダーを示しており、（ａ）はその正面図であり、（ｂ）は断面図である。
【図８】本発明の第二実施形態のＩＤカードホルダーの分解斜視図である。
【図９】図８のＩＤカードホルダーにＩＤカードと遮蔽部材を同封し、情報を読み取らせる際におけるＩＤカードホルダーを示しており、（ａ）はその裏面図であり、（ｂ）は断面図である。
【図１０】本発明の第三実施形態のＩＤカードホルダーを示しており、（ａ）はその裏面図であり、（ｂ）は断面図である。
【図１１】本発明の第四実施形態のＩＤカードホルダーの分解斜視図である。
【図１２】本発明の第五実施形態のＩＤカードホルダーの分解斜視図である。
【図１３】本発明の第六実施形態のＩＤカードホルダーの斜視図である。
【図１４】図１３のＩＤカードホルダーの分解斜視図である。
【図１５】本発明の第七実施形態のＩＤカードホルダーの斜視図である。
【図１６】図１５のＩＤカードホルダーにＩＤカードと遮蔽部材を同封し、情報を読み取らせる際におけるＩＤカードホルダーの正面図である。
【図１７】積層フィルムの変形例の拡大断面図である。
【図１８】積層フィルムの他の変形例の拡大断面図である。
【図１９】積層フィルムのさらに他の変形例の拡大断面図である。
【図２０】積層フィルムのさらに他の変形例の拡大断面図である。
【図２１】積層フィルムのさらに他の変形例の拡大断面図である。
【図２２】積層フィルムのさらに他の変形例の拡大断面図である。
【図２３】カードの斜視図であり、（Ａ）は遮蔽状態、（Ｂ）は読取許容状態を示す。
【図２４】カードの分解斜視図である。
【図２５】（Ａ）〜（Ｃ）は、各々カードの断面図である。
【図２６】（Ａ）〜（Ｃ）は、各々遮蔽部材の構造を示す断面図である。
【図２７】（Ａ）は遮蔽状態、（Ｂ）は読取許容状態の説明図である。
【図２８】カードの斜視図であり、（Ａ）は遮蔽状態、（Ｂ）は読取許容状態を示す。
【図２９】（Ａ），（Ｂ）は、各々カードの断面図である。
【図３０】実施例３のカードの取出し状態の斜視図と装着状態の斜視図である。
【図３１】（Ａ），（Ｂ）は、各々カード保護具の断面図である。
【図３２】実施例４のカード及びカードケースの斜視図である。
【図３３】カードケースの作用状態を示す斜視図である。
【図３４】（Ａ）は、実施例５のカードケースの斜視図、（Ｂ）は、同断面図である。
【図３５】実施例６のカード及びカードケースの斜視図である。
【図３６】カードとカードケースの作用状態を示す斜視図である。
【図３７】（Ａ）は、実施例７のカードの斜視図、（Ｂ）は、同断面図である。
【図３８】内部に仕切を備えたＩＤカードホルダーの斜視図であり、（ａ）は情報の読み取りが不可能な状態を示しており、（ｂ）は、情報の読み取りが可能な状態を示している。
【図３９】（ａ）は、図３８（ａ）のＡ−Ａ矢視図であり、（ｂ）は、図３８（ａ）のＢ−Ｂ矢視断面図であり、（ｃ）は図３８（ｂ）のＣ−Ｃ矢視断面図である。
【図４０】図３９の変形例を示しており、（ａ）は、内部に仕切を備えたＩＤカードホルダーの平面図であり、（ｂ）は、（ａ）のｂ−ｂ断面図であり、（ｃ）は、（ｂ）の状態から遮蔽部材をスライドさせた状態を示す断面図である。
【図４１】別のＩＤカードホルダーの斜視図であり、（ａ）は、情報の読み取りが不可能な状態を示しており、（ｂ）は、情報の読み取りが可能な状態を示している。
【図４２】図４１のＩＤカードホルダーの変形例を示しており、（ａ）は、情報の読み取りが不可能な状態を示しており、（ｂ）は、情報の読み取りが可能な状態を示している。
【図４３】図３８のＩＤカードホルダーに対して、異なる形状の遮蔽部材を収容した状態のＩＤカードホルダーの斜視図である。
【図４４】図３８のＩＤカードホルダーに対して、異なる形状の遮蔽部材を収容した状態のＩＤカードホルダーの斜視図である。
【図４５】ＩＤカードホルダーの構造の変形例を示す斜視図である。
【符号の説明】
【００４４】
１，２５，２７，３２，３３，３８  ＩＤカードホルダー
９  熱融着シート（ラミネートシート）
１０  積層フィルム（情報漏洩防護フィルム）
１１  カード
２０  ＩＤカード
２１  遮蔽部材
２２  開口
２３    非接触型１Ｃ媒体
２８，３０  凸部
２７  溝
３４    移動遮蔽部材
３５  ガイド
５１    重合部分
５２    芯部材
５２ａ  読取許容孔
６１，６２  シート部材
６１ａ  切欠部
６３    芯部材
６３ａ  読取許容孔
７１    カード側遮蔽部材
７１ａ  読取許容孔
７２，７３  シート部材
７２ｂ  ケース側遮蔽部
１１２    カード保護具
１１３    カードケース
１２５    磁気ストライプ
１３２    第１固定遮蔽部材
１３２ａ  読取許容孔
１３６    第２固定遮蔽部材
１３８    読取許容面
１８１    遮蔽層
１８２    読取許容面
【発明を実施するための最良の形態】
【００４５】
以下さらに本発明の実施形態について説明する。
図１は、本発明の実施形態のＩＤカードホルダーの斜視図である。図２は、図１のＩＤカードホルダーの分解斜視図である。図３は、図１のＩＤカードホルダーにＩＤカードと遮蔽部材を同封した状態を示しており、（ａ）はその正面図であり、（ｂ）は断面図である。【００４６】
本実施形態のＩＤカードホルダー１は、ビニール等の透明な樹脂で作られたものであり、裏面側の一部が二重構造となって袋部２が形成されている。袋部２は上部が開口し、当該開口からＩＤカード２０及び遮蔽部材２１を挿入することができる。
ＩＤカードホルダー１の表面側の上部には、孔７が二個設けられ、下げ紐８が取り付けられている。
またＩＤカードホルダー１の表面側であって、袋部２の表面壁を構成する部位に開口２２が設けられている。本実施形態では、開口２２は長孔であり、袋部２の深さ方向に長い。【００４７】
ＩＤカード２０は、表面に図示しない写真が添付されていると共に氏名、所属部署、役職等が記入されている。またＩＤカード２０には図示しないＩＣチップが埋め込まれており、個人情報等が記憶されている。【００４８】
遮蔽部材２１は、ラミネートシートの間に積層フィルム１０が挟み込まれて挿入されたものである。
図４は、本実施形態で採用する遮蔽部材の斜視図である。図５は、図４の遮蔽部材の断面図である。図６は、図４の遮蔽部材で使用する積層フィルムの拡大断面図である。
即ち遮蔽部材２１は、図の様に二枚の熱融着シート（ラミネートシート）９の間に積層フィルム１０等を挟み込み、三者を熱融着したものである。なお挟み込まれる積層フィルム１０は、複数枚であってもよい。即ち同一厚さの積層フィルム１０を大量に製造しておき、必要に応じた厚さとするために複数枚を重ねて使用する。遮蔽部材２１の形状及び大きさは、ＩＤカード２０に合わせて作られており、本実施形態では長方形である。【００４９】
積層フィルム１０は、例えばスナック菓子の袋の素材と同等のものであり、図６の様にアルミニウム箔層１２と樹脂層１３が積層されたものである。
ここでアルミニウム箔層１２の厚さは、８μｍ以上であることが望ましく、さらに１８μｍ以上であることが推奨される。即ちアルミニウム箔層１２の厚さが、８μｍ未満である場合は、電磁波を遮蔽する機能が十分ではない。アルミニウム箔層１２の厚さが、１８μｍ以上であれば、相当の強度を有する電磁波であっても遮蔽することができ、信頼性が高い。
上記した積層フィルム１０は、２層構造であるが、３層以上の構成であってもよい。３層以上の構成を持つ例については後記する。【００５０】
樹脂層の素材は任意であり、公知の樹脂であってフィルム化が可能なものであれば良い。例えばセロハン、ポリエチレン、延伸ポリプロピレン、無延伸ポリプロピレン、ポリエチレンテレフタレート，ポリ塩化ビニリデンコート二軸延伸ポリプロピレン、Ｋコートポリエチレンテレフタレート、エチレンビニルアルコール共重合体等の樹脂を使用することができる。【００５１】
次に本実施形態のＩＤカードホルダー１の使用方法について説明する。【００５２】
即ち本実施形態のＩＤカードホルダー１にＩＤカード２０を入れて携行する場合は、前記した図３の様にＩＤカード２０と遮蔽部材２１とが大部分で重なりあっている。そのためＩＤカード２０は電磁波を発することができない。またＩＤカード２０は外部から磁気等を受けることができない。そのためＩＤカード２０をスキミングすることはできない。【００５３】
これに対してＩＤカード２０から情報を読み取らせる場合には、ＩＤカード２０をずらして遮蔽部材２１との重なり部分を少なくする。即ち図７は、図１のＩＤカードホルダー１にＩＤカード２０と遮蔽部材２１を同封し、情報を読み取らせる際におけるＩＤカードホルダーを示しており、（ａ）はその正面図であり、（ｂ）は断面図である。
本実施形態のＩＤカードホルダー１では、表面側に開口２２が設けられているので、ＩＤカード２０の一部が開口２２から露出している。そのため使用者は、外部から手指で直接的にＩＤカード２０に触れることができ、ＩＤカード２０を容易にずらすことができる。
その結果、ＩＤカード２０の一部が遮蔽部材２１から露出し、ＩＤカード２０は外部に電磁波を発することができる。またＩＤカード２０は外部から磁気等を受けることができる状態となる。【００５４】
次に本発明の他の実施形態について説明する。
図８は、本発明の第二実施形態のＩＤカードホルダーの分解斜視図である。図９は、図８のＩＤカードホルダーにＩＤカードと遮蔽部材を同封し、情報を読み取らせる際におけるＩＤカードホルダーを示しており、（ａ）はその裏面図であり、（ｂ）は断面図である。図１０は、本発明の第三実施形態のＩＤカードホルダーを示しており、（ａ）はその裏面図であり、（ｂ）は断面図である。図１１は、本発明の第四実施形態のＩＤカードホルダーの分解斜視図である。図１２は、本発明の第五実施形態のＩＤカードホルダーの分解斜視図である。図１３は、本発明の第六実施形態のＩＤカードホルダーの斜視図である。図１４は、図１３のＩＤカードホルダーの分解斜視図である。図１５は、本発明の第七実施形態のＩＤカードホルダーの斜視図である。図１６は、図１５のＩＤカードホルダーにＩＤカードと遮蔽部材を同封し、情報を読み取らせる際におけるＩＤカードホルダーの正面図である。【００５５】
上記した第一の実施形態では、ＩＤカードホルダー１の表面側に開口２２を設けたが、図８、図９の様にＩＤカードホルダー２５の裏面側に開口２６を設け、遮蔽部材２１をずらしても同様の作用効果が期待できる。【００５６】
また孔状の開口に代わって、図１０の様な溝２７を設ける構成を採用することもできる。
さらに図１１，図１２の様にＩＤカードホルダー２４，３２の様に内面に突条（凸部）２８や粒状の突起（凸部）３０を設けることも推奨される。凸部２８，３０を設けることによってＩＤカードホルダー２４，３２の内面側とＩＤカード２０や遮蔽部材２１との間に隙間ができ、ＩＤカード２０や遮蔽部材２１の滑りが良くなる。【００５７】
また図１３、図１４に示すＩＤカードホルダー３３の様に袋部２内にガイド３５を設ける構成も推奨される。ガイド３５の設置間隔は、移動させようとするＩＤカード又は遮蔽部材の幅と略合致している。そのためＩＤカード２０又は遮蔽部材２１の移動が円滑である。【００５８】
また上記した実施形態は、いずれも一つの袋部にＩＤカード２０と遮蔽部材２１とを同封する構成であるが、図１５、図１６の様に二つの袋部３６，３７を設けた構成を採用することもできる。即ち図１５、図１６に示すＩＤカードホルダー３８は、二つの袋部３６，３７を有し、その一方にＩＤカード２０が挿入され、他方に遮蔽部材２１が挿入される。
そして携行時には、図１５の様にＩＤカードホルダー３８を二つ折りにしてＩＤカード２０と遮蔽部材２１を重ねる。
即ち本実施形態のＩＤカードホルダー３８にＩＤカード２０を入れて携行する場合は、ＩＤカード２０と遮蔽部材２１とが大部分で重なりあっている。そのためＩＤカード２０は電磁波を発することができない。またＩＤカード２０は外部から磁気等を受けることができない。そのためＩＤカード２０をスキミングすることはできない。【００５９】
これに対してＩＤカード２０から情報を読み取らせる場合には、図１６の様にＩＤカードホルダー３８を開く。その結果、ＩＤカード２０が遮蔽部材２１から離れ、ＩＤカード２０は外部に電磁波を発することができる。またＩＤカード２０は外部から磁気等を受けることができる状態となる。【００６０】
次に積層フィルム（情報漏洩防護フィルム）１０の変形例について説明する。図１７乃至２２は、積層フィルムの変形例の拡大断面図である。
積層フィルム１０は３層以上の構成であってもよいという点については前記したが、具体的には図１７乃至２２に示す様な層構成のものが推奨される。
即ち図１７に示す積層フィルム１０は、ポリエチレンテレフタレート又はポリエチレン等の樹脂層１３を挟んで２層のアルミニウム蒸着層１２が設けられ、さらにその外側に樹脂層１３が積層され、最も外層の二面にカーボン層８０が積層されたものである。樹脂層１３の厚さは、２０〜３０μｍであり、アルミニウム蒸着層１２は１００〜５００オングストローム程度である。
なおアルミニウム蒸着層１２に代わってアルミニウム箔を採用し、アルミニウム箔と樹脂層１３とを、接着剤等で貼り合わせてもよい。
両面のカーボン層８０は、いずれも共役二重結合の炭素化合物を含む。
共役二重結合の炭素化合物には電磁波を吸収する機能があり、カードから漏洩する電磁波を吸収する。【００６１】
図１８に示す積層フィルム１０は、異種の金属層を有するものであり、アルミニウム箔層１２に銅又は銀の層８５が積層されている。銅又は銀の層８５は、蒸着によって接合されてもよく、また予め金属箔化した後に、接着剤等で張り合わせてもよい。本実施形態では、アルミニウム箔層１２と銅又は銀の層８５は接着剤（図示せず）で貼り合わされている。【００６２】
本実施形態では、異種金属の層を有するものであり、いずれの周波数であっても高い電磁波遮蔽機能を有する。即ち電磁波を遮蔽する能力は、遮蔽しようとする電磁波の周波数の影響を受けるが、周波数と遮蔽能力との関係は、金属ごとに異なる。例えばアルミニウムは、周波数の上昇と共に遮蔽能力も上昇するが、周波数がある一定値以上となると、遮蔽能力が極端に低下する。これに対して、銀では大きな能力低下が見られない。一方、アルミニウムは安価であり、銀は高価である。
本実施形態では、アルミニウムの層と銀の層とを設けたので、周波数の影響が軽減され、いずれの周波数領域においても安定した遮蔽機能を発揮する。【００６３】
図１９に示す積層フィルム１０は、さらに鉄の層８２を設けたものである。即ち図１９に示す積層フィルム１０は、アルミニウム箔層１２、銀層８１及び鉄層８２が設けられている。これらの金属層１２，８１，８２の間には、ポリエチレンテフタレート等の樹脂層１３が設けられ、さらに最も外面には、ポリエチレンテフタレート等の樹脂層１３を介してカーボン層８０が設けられている。
本実施形態の積層フィルム１０は、鉄層８２が設けられているので、磁気を遮蔽することもできる。さらに鉛の層を追加してもよい。また鉄層８２や銀層８１に代わって鉛層を設けてもよい。【００６４】
上記した例は、いずれも複雑な積層構造を有するものであるが、図２０に示す様なアルミニウム箔層１２の片面にカーボン層８０を積層し、他面に樹脂層１３を積層した様なものであってもよい。また図２１の様にアルミニウム箔層１２に代わって銀や銅の層８５を設け、片面にカーボン層８０を積層し、他面に樹脂層１３を積層した様なものでもよい。さらに図２２の様にアルミニウム箔層１２に代わって鉄層８２を設け、片面にカーボン層８０を積層し他面に樹脂層１３を積層した様なものであってもよい。銀や銅の層８５、鉄層８２に代わって鉛層を設けてもよい。【００６５】
以上説明した実施形態では、遮蔽部材としてラミネートされた積層フィルムを使用したが、アルミや銅等の金属フィルムをラミネートしたものであってもよく、アルミや銅等の金属板を遮蔽部材として使用することもできる。【００６６】
また上記した実施形態では、袋部２が上部に開口を持ち、この開口からＩＤカード２０を出し入れするものを例示したが、袋部の中にＩＤカード２０が封入されていて出し入れすることができないものであってもよい。即ち袋部２の容積がＩＤカード２０や遮蔽部材２１よりも大きく、内部でこのいずれかを移動させることができれば、袋部２は密閉されていても構わない。
ＩＤカード２０は、遮蔽部材２１との非重合部が、ＩＤカード２０の面積を基準として１／３程度あれば読み出しを行うことができる。従って袋部２の中でＩＤカード２０又は遮蔽部材２１をＩＤカード２０の幅の１／３以上移動させることができればＩＤカード２０から情報を読み取ることができる。【００６７】
スキミングの防止を図る一方で、正当な読み取りを可能にするという目的を、情報記憶媒体が搭載されたカード、及び／又は該カードに重なり合う重合部分を有したカード付属部材に、上記情報記憶媒体に記憶された情報を読み取り不可に遮蔽する遮蔽部を、上記情報記憶媒体に記憶された情報を読み取るときにその読み取りを許容する読取許容部とともに備えるという構成にて実現した。【００６８】
上記遮蔽部は、磁界遮断のための材料を、カードの情報記憶媒体部分を覆い隠すように積層等して配置することで得られる。上記読取許容部は、上記遮蔽部が存在しない部分を形成することや形成された遮蔽部を移動可能にすることによって得られる。遮蔽部が存在しない切り欠き等によって読取許容部を備えた場合には、読取許容部を形成する遮蔽部とは別の遮蔽部によって読取許容部を開閉可能に覆い隠すとよい。この場合、上記読取許容部をカードに備え、上記別の遮蔽部をカード付属部材に備えて、カードとカード付属部材の相対移動で読取許容部を開閉可能にすることもできる。【００６９】
この発明の一実施例を、以下図面を用いて説明する。
【実施例１】
【００７０】
図２３は、カード１１を示す斜視図であり、図２４はその分解斜視図、図２５は断面図である。【００７１】
これらの図に示したように、カード１１は、ＩＣチップ１２１とループアンテナ１２２とで構成される非接触型ＩＣ媒体２３が搭載された非接触型ＩＣカードである。非接触型ＩＣ媒体２３は、一般にＲＦ−ＩＤ (Radio Frequency Identification) タグと呼ばれるものであり、電波または電磁波を用いて非接触の通信を行う機能、および情報を記憶する機能を有する。【００７２】
カード１１は、キャッシュカード、クレジットカード、定期券、プリペイドカード、社員証、学生証などとして利用されるもので、長方形板状をなし、複数の部材を積層して構成され、情報記憶媒体としての上記非接触型ＩＣ媒体２３に記憶された情報を読み取り不可に遮蔽する遮蔽部と、非接触型ＩＣ媒体２３に記憶された情報を読み取るときにその読み取り（通信）を許容する読取許容部とを備える。【００７３】
上記複数の部材は、上記非接触型ＩＣ媒体２３を有する本体部材３１の上面側に備えられる、第１固定遮蔽部材３２、スペーサ部材１３３、移動遮蔽部材３４および第１ラミネート部材１３５と、本体部材３１の下面側に備えられる、第２固定遮蔽部材１３６および第２ラミネート部材１３７である。これらのうち第１固定遮蔽部材３２、第２固定遮蔽部材１３６および移動遮蔽部材３４（遮蔽部材）は、いずれも、通信波（電波や電磁波など非接触通信に用いられる波）を遮断、吸収または干渉する（以下、遮断という）性質の材料の被覆、混合、積層、塗布などで形成される。材料には、アルミニウム、銅、銀などの金属からなる反射材、あるいは炭素、珪素などといった吸収材など様々なものが適宜使用できる。またその形態についても、箔や繊維状、粉体状、シート状など適宜のものを使用し得る。【００７４】
図２６は遮蔽部材３２，３６，３４の構成態様の一例を示す断面図である。図２６（Ａ）は、箔やシート状に形成された遮断材料４１を基材４２に積層した例、または基材４２の表面に遮断材料４１を塗布した例を示す。図２６（Ｂ）は、積層や塗布などで形成された遮断材料４１の表面に遮断材料４１を保護するフィルム等からなる保護層４３が設けられた例を示している。図２６（Ｃ）は、合成樹脂等の基材４２に所望の遮断作用が得られる量の遮断材料４１を混合して、遮断材料４１を含有する薄い板状に成形した例である。また、遮蔽部材３２，３６，３４自体に剛性が必要でない場合には、上記本体部材３１に対して遮断材料４１を直接塗布したりコーティングしたりして遮蔽部材３２，３６に相当する部分を形成することもできる。【００７５】
上記本体部材３１は、カード大のシート状に形成される。【００７６】
上記第１固定遮蔽部材３２は、外形がカード大のシート状に形成され、その内側の上記非接触型ＩＣ媒体２３のＩＣチップ１２１部分とその周囲に対応する部分に、上記読取許容部としての読取許容孔３２ａが形成される。読取許容孔３２ａは、ＩＣチップ１２１周辺のループアンテナ１２２の内側Ｌ１から外側Ｌ２に到る大きさの方形状である（図２７参照）。【００７７】
上記スペーサ部材１３３は、外形がカード大のシート状に形成され、上記移動遮蔽部材３４を囲むように設けられる。移動遮蔽部材３４をスペーサ部材１３３の長さ方向に移動可能に保持するため、内側には、移動遮蔽部材３４を収容可能であるとともにその移動を許容する打ち抜き孔１３３ａが形成されている。上記移動は、移動遮蔽部材３４がＩＣチップ１２１部分を被覆して読み取りを不可能にする遮蔽位置［図２７（Ａ），図２３（Ａ）参照］と、該遮蔽位置から離れて読み取りを可能にする読取許容位置［図２７（Ｂ），図２３（Ｂ）参照］との間で行われるように打ち抜き孔１３３ａの大きさが設定される。【００７８】
上記移動遮蔽部材３４は、上記読取許容孔３２ａの上面側を塞ぐもので、読取許容孔３３ａよりも大きめで一部に力を作用させての移動を可能とする剛性を有した方形シート状に形成されている。そして、この移動遮蔽部材３４の一部には、平面視方形状で表面側に突出する移動用の操作部３４ａが形成されている。【００７９】
上記上面側の第１ラミネート部材１３５は、適宜の合成樹脂シート等からなり、外形がカード大に形成される。そして、その内側には、上記操作部３４ａをスライドさせるために上記操作部３４ａを露出させるスライド溝１３５ａと、該スライド溝１３５ａに連続する方形状の窓部１３５ｂが設けられている。【００８０】
一方、本体部材３１の下側に備えられる上記第２固定遮蔽部材１３６と第２ラミネート部材１３７は、カード大で切り欠きのないシート状に形成される。【００８１】
また、上記第１ラミネート部材１３５と第２ラミネート部材１３７には、印刷等が適宜施され、カードとしての外観が形成される。【００８２】
これら各部材３１，３２，３３，３４，３５，３６，３７は、上述の順序で本体部材３１を挟むように積層一体化される。一体化されると、図２５（Ａ）に示したように、本体部材３１の上面側の一部を除いて第１固定遮蔽部材３２が位置し、この第１固定遮蔽部材３２が存在しない読取許容孔３２ａの上面側に移動遮蔽部材３４が位置する状態となる。移動遮蔽部材３４は、第１固定遮蔽部材３２上を移動可能であるので、移動遮蔽部材３４を後退させると、図２３（Ｂ）、図２７（Ｂ）に示したように、本体部材３１における読取許容孔３２ａに対応する部分を開放できる。一方、本体部材３１の下面側は、その全面が第２固定遮蔽部材１３６で覆われている。【００８３】
以上のような構成を有するので、図２３（Ａ）および図２７（Ｂ）に示した読み取り不可能状態と、図２３（Ｂ）および図２７（Ｂ）に示した読み取り許容状態との切り替えは、移動遮蔽部材３４をスライドさせるだけで、簡単に行える。【００８４】
カード１１の非接触型ＩＣ媒体２３を使用しない場合、つまり読み取りを行わせずスキミングからカード１１を保護する場合には、移動遮蔽部材３４を読取許容孔３２ａに被さるように遮蔽位置にスライドさせておく。この状態では、非接触型ＩＣ媒体２３の上下両面は、非接触通信に必要な磁界が遮断（完全遮断、減衰、ループアンテナとの干渉による効率低下）されるため、物理的に非接触通信を行うことができず、スキミングなどの不正なデータ通信を防止することができる。【００８５】
カード１１の非接触型ＩＣ媒体２３を使用する場合、つまり読み取りを行わせてカードの機能を利用する場合には、移動遮蔽部材３４を読取許容孔３２ａに被さらない読取許容位置にスライドさせる。このスライド操作は、指の腹を当ててずらすだけで簡単に行える。移動遮蔽部材３４を読取許容位置に位置させた状態では、非接触型ＩＣ媒体２３の上面側の読取許容孔３２ａが開放されるので、非接触通信に必要な磁界の通過を許容することができる。このため、読み取り器とのデータ通信を問題なく実行できる。【００８６】
このように、移動遮蔽部材３４を移動するという簡単な動作で、非接触型ＩＣ媒体２３に対する非接触通信の可否を確実に切替えることができる。この結果、記憶した情報の正当な読み取りを可能にしつつも、スキミングの防止を図ることができる。【００８７】
しかも、読取許容孔３２ａを開放する動作は、指先で簡単に行える。ケースに収納したカード１１を取り出す動作に比して極簡単である。このため、スキミングの防止を図りながらも、カード１１が便利に使用できるという効果を達成できる。【００８８】
また、スキミング防止を図る状態と読み取りを許容する状態との切り替えは、カード所持者の手による物理的操作で行うため、現在の状態がスキミング防止状態か読み取り許容状態かを目で見て容易に認識できる。また、目で見なくとも、操作部３４ａの位置により触っただけでいずれに配置されているかを認識できる。このため、簡単で確実性の高いスキミング防止が可能である。【００８９】
なお、上述例では、読み取り許容状態において、移動遮蔽部材３４が読取許容孔３２ａを完全に塞ぐ構成としたが、スキミング防止状態で読取許容孔３２ａの全体を覆わずにある程度（たとえば全体の２／３）ループアンテナ１２２を覆う状態としてもよい。この場合でも、通信波の通過を抑制でき、読み取りを許容する通信波の強さが非接触通信を実現するために必要な強さに至らないようにして、通信波を遮断することができる。また、読み取り許容状態でループアンテナ１２２を覆う範囲を、読み取りを許容する境界付近の範囲に設定すれば、移動遮蔽部材３４の移動距離を短くすることができ、操作の利便性を高めることができる。【００９０】
また、上述例では読取許容孔３２ａを、ＩＣチップ１２１周辺のループアンテナ１２２の内側Ｌ１から外側Ｌ２に到る大きさの方形状に形成した例を示したが、必ずしもＩＣチップ１２１部分に形成してＩＣチップ１２１を露出可能にする必要はなく、ループアンテナ１２２をまたがる状態であればよい。【００９１】
さらに、カード１１の構成について、上述例では本体部材３１の下面側に、その全面を覆う第２固定遮蔽部材１３６を積層したが、図２５（Ｂ）に示したように、上記第２固定遮蔽部材１３６を省略することもできる。この場合には、カード１１を所持するときカード１１の上面側がスキミングの危険性のある外側に向くようにすればよい。また、上記遮蔽部材３２，３６，３４と同様の作用をするシート状をなす別体の遮蔽シート（図示せず）をカード１１（本体部材３１）に添えておくもよい。【００９２】
図２５（Ｃ）は、本体部材３１の上下両面側に読取許容孔３２ａが形成された例を示している。このように両面に読取許容孔３２ａを有する場合には、その２個の読取許容孔を同時に開閉する移動遮蔽部材３４を備える。すなわち、本体部材３１の上下両面に、読取許容孔３２ａを有した第１固定遮蔽部材３２を積層し、これら第１固定遮蔽部材３２の読取許容孔３２ａを塞ぐ位置に、離間配置させた二枚の遮蔽部分３４ｂ，３４ｂを有する移動遮蔽部材３４が移動可能に設けられる。移動遮蔽部材３４には上面側の第１ラミネート部材１３５から露出する操作部３４ａが形成され、移動遮蔽部材３４が、本体部材３１、第１固定遮蔽部材３２，３２、上面側の第１ラミネート部材１３５に各々形成されたスライド溝３１ａ，３２ｂ，３５ａとスペーサ部材１３３の打ち抜き孔１３３ａ内を移動可能に構成されている。
このような構成によれば、読取許容孔３２ａを開放すると非接触通信に必要な磁界の通過がカード１１の両面から許容されるので、データ通信の実行性が高まる。【００９３】
また、図２３に示した上述例では、第１ラミネート部材１３５に窓部１３５ｂを設けた例を示したが、この窓部１３５ｂを省略してもよい。異物の侵入を抑制して移動遮蔽部材３４のスライド動作を確保できる。
【実施例２】
【００９４】
図２８は、実施例２に係るカード１１の斜視図であり、図２９はその断面図である。
なお、この実施例２を含む以下の実施例において、上記実施例１の構成要素と同一または同等の部位については、同一の符号を付してその詳しい説明を省略する。【００９５】
上記各図に示したように、カード１１は第１実施例の場合と同様に非接触型ＩＣカードであるが、第１実施例の場合とはその読取許容部の構造を異にする。すなわち、読取許容部がカード１１の上面側全体に設けられるとともに、この上面側に、非接触型ＩＣ媒体２３の全体を覆い隠す大きさの略長方形状の移動遮蔽部材３４が移動可能に設けられている。【００９６】
図２９（Ａ）に示したように、非接触型ＩＣ媒体２３を有する本体部材３１の上面側が読取許容面１３８であり、この読取許容面１３８の上側には、移動遮蔽部材３４が備えられる。この移動遮蔽部材３４の周囲には、カード１１の３辺を囲む細幅のスペーサ部材１３３が設けられている。移動遮蔽部材３４は、スペーサ部材１３３に沿ってスライド移動することができる。移動遮蔽部材３４の長さは、カード１１内に収容可能な長さである。そして、移動遮蔽部材３４の一方の端部には、上面側に向けてＬ字状に屈曲する操作部３４ａが一体に形成されている。その結果、移動遮蔽部材３４がカード１１内に収容される際には、操作部３４ａがカード１１の端部に当接してスライド移動が停止する。よって、このときには操作部３４ａはカード１１から突出している。また、スペーサ部材１３３の表面には、カード１１大に形成され切り欠きを有しない第１ラミネート部材１３５が設けられる。【００９７】
一方、本体部材３１の下面側には、本体部材３１の全面を覆う第２固定遮蔽部材１３６と、第２ラミネート部材１３７とが設けられる。第２ラミネート部材１３７は、第２固定遮蔽部材１３６と同程度の大きさを備えている。図２９（Ａ）に示す第２固定遮蔽部材１３６は、図２９（Ｂ）に示すように省略することもできる。【００９８】
このように構成されたカード１１では、操作部３４ａがカード１１（第１ラミネート部材１３５）の端部に当接する位置が情報の読み取りを不可能にする遮蔽位置になる。すなわち、移動遮蔽部材３４の操作部３４ａが、本体部材３１の上面側を覆う遮蔽位置にスライド移動すると、非接触型ＩＣ媒体２３に記録された情報の読み取りを不可能にすることができる。また、移動遮蔽部材３４を適宜の長さだけカード１１から引き出して読み取り許容位置にスライド移動させると、非接触型ＩＣ媒体２３に記録された情報を読み取り許容状態にすることができる。【００９９】
読み取り不可能状態であるか、又は、読み取り許容状態であるかの判断は、移動遮蔽部材３４が突出しているか否かによって外観によっても、触感によっても容易に判断できる。また、移動遮蔽部材３４が突出しないように押し込んでおけば必ず読み取り不可能状態になり、読み取りが不要なときには移動遮蔽部材３４を突出させておく必要性がないので、スキミング防止の効果を確実に得ることができる。
【実施例３】
【０１００】
図３０は、情報記憶媒体を搭載したカード１１に取り付けて使用されるカード保護具１１２の斜視図で、図３１はその断面図である。【０１０１】
カード保護具１１２は、カード１１に重なり合う重合部分５１を有した板状で、長辺側の２辺に、カード１１に対して着脱可能に取り付けるために断面コ字形をなす係止部１１２ａが形成されている。このカード保護具１１２は、全体として可撓性を有する薄い合成樹脂等で構成され、情報記憶媒体としての非接触型ＩＣ媒体に記憶された情報を読み取り不可にするべく磁界を遮断する性質を有する。読み取り不可能状態と読み取り許容状態とを切替えるための構成は、上記実施例１に示した構成と同様である。【０１０２】
すなわち、カード保護具１１２の重合部分５１は複数の部材が積層されて構成されている。この重合部分５１の芯部材５２が、通信波を遮断する性質の材料を用いて形成された遮蔽部である。そしてこの芯部材５２の一部に、読取許容孔５２ａが形成され、読取許容孔５２ａの上面側には、読取許容孔５２ａを塞ぐ大きさの移動遮蔽部材３４が移動可能に設けられる。また移動遮蔽部材３４の周囲には、移動遮蔽部材３４のスライドを可能にするためのスペーサ部材１３３が設けられるとともに、スペーサ部材１３３の上面側にはラミネート部材５３が積層されている。【０１０３】
図中５３ａは、操作部３４ａをスライド可能にするためのスライド溝、５３ｂは読取許容大５２ａと略同形の窓部である。【０１０４】
このように構成されたカード保護具１１２に、スキミング防止のための手段が何ら講じられていない既存のカードを入れると、必要な情報を読み取ることができる状態と、不正なスキミングを防止してカードに記録された情報を保護することができる状態とを極めて簡単な操作で切り替えることができるようになる。【０１０５】
本実施例における読み取り不可能状態と読み取り許容状態とを切替える操作は、実施例１の場合と同様であって、操作がきわめて簡単で実効性の高いスキミング防止が行える。しかも、カード保護具１１２に対するカード１１の取り付けは、二辺の係止部１１２ａにカード１１の端を係止させ、係止部１１２ａに沿ってカード１１をスライド移動させるだけの簡単な動作で行えて便利である。【０１０６】
また、カード保護具１１２の表面に適宜の模様などを施しておけば、自分独自のカードに化粧することができる。すなわち、着せ替えのように楽しむこともできる。【０１０７】
なお、図３１（Ｂ）に示したように、カード保護具１１２は、係止部１１２ａ（図３０）の代わりに芯部材５２の下側に間隔を置いて下面板部１１２ｂが鞘状に一体形成された構成にすることもできる。この間隔は、カード１１を差し込むことができる大きさに設定する。下面板部１１２ｂは、非接触型ＩＣ媒体２３に記憶された情報を読み取り不可能に遮断する素材で形成されており、上記芯部材５２と一体に形成されるのが好ましい。【０１０８】
下面板部１１２ｂと芯部材５２の間にカード１１を差し込むことにより、カード１１をカード保護具１１２に取り付ける。下面板部１１２ｂも磁界を遮断する素材で構成すれば、下面飯給１２ｂも遮蔽部として作用させることができる。よって、下面側からのスキミングも積極的に防止できる。
【実施例４】
【０１０９】
図３２は、情報記憶媒体である非接触型ＩＣ媒体２３を搭載したカード１１を収納するカードケース１１３の斜視図である。【０１１０】
カードケース１１３は、非接触型ＩＣ媒体２３に記憶された情報を読み取り不可能にすることができる素材（磁界を遮断する性質を有するシート材）で構成されている。具体的には、遮蔽部材として機能する二枚の四辺形のシート部材６１，６２を重合し、その３辺を接合する。残りの一辺には、カード１１を出し入れする差込口１１３ａが形成され、シート部材６１，６２の間には、ポケット状の収納部１１３ｂが形成される。二枚のシート部材６１，６２、すなわちカード１１に重なり合う重合部分で形成される収納部１１３ｂは、カード１１を完全に被覆することができる大きさである。しかし、上側のシート部材６１は、下側のシート部材６２よりも若干小さく設定されており、下側のシート部材６２が若干露出している。これにより、カード１１はシート部材６２に沿って差込口１１３ａからカードケース１１３内に収納し易くなる。さらに、上側シート部材６１の差込口１１３ａ側の端部には、略半円弧状の切欠部６１ａが形成されている。切欠部６１ａは、差込口１１３ａの幅方向の中間部に設けるのが好ましい。この切欠部６１ａは、収納したカード１１の一部を露出させるが、非接触型ＩＣ媒体２３に記憶された情報の読み取りは阻止する大きさであり、その上、カード１１を上記下側シート部材６２の差込口１１３ａ側の端部に合わせたときに、情報の読み取りを許容する大きさに設定されている。【０１１１】
このように構成されたカードケース１１３では、情報の読み取りを許容する読取許容部としての切欠部６１ａが存在するものの、カード１１を収納部１１３ｂに収納した状態では遮蔽部としてのシート部材６１，６２でその略全体が覆われるため、スキミングを阻止することができる。カード１１を使用する場合には、図３３に示したように、切欠部６１ａを通してカード１１に指先を押し当て、カード１１の端が下側のシート部材６２の端に当たるまでカード１１をずらせばよい。切欠部６１ａによってカード１１の非接触型ＩＣ媒体２３を読み取り可能な状態にすることができる。【０１１２】
このように、カードケース１１３からのカード１１の出し入れで非接触型ＩＣ媒体２３に対する非接触通信の可否を確実に切替えることができる。この結果、必要時における記憶した情報の正当な読み取りを可能にしながら、不要時におけるスキミングの防止を図ることができる。【０１１３】
しかもそのための操作は、指先でカード１１をずらすだけなので簡単である。また、カード１１をカードケース１１３内に正しく収納することで自動的にスキミング防止が図れるので、通常の使用状態においてカード１１を中途半端に引き出した不自然な状態にしておく必然性はなく、上記切り替えは正確に行え、誤操作を回避できる。
【実施例５】
【０１１４】
図３４は、実施例４のようなカードケース１１３に対して、実施例３の場合と同様に、実施例１で説明した非接触型ＩＣ媒体２３に対する非接触通信の可否を切替える構成を採用した例を示している。【０１１５】
すなわち、カードケース１１３は、図３４（Ｂ）に示したように、カード１１に重なり合う重合部分の一部としての上側のシート部材６１が、複数の部材を積層して構成されている。この上側のシート部材６１の本体としての芯部材６３の一部に、読取許容孔６３ａが形成され、読取許容孔６３ａの上面側には、読取許容孔６３ａを塞ぐ大きさの移動遮蔽部材３４が移動可能に設けられる。移動遮蔽部材３４の周囲には移動遮蔽部材３４のスライド移動を可能にするためのスペーサ部材１３３が設けられるとともに、スペーサ部材１３３の上面側にはラミネート部材６４が積層される。【０１１６】
図中６４ａは、操作部３４ａをスライド可能にするためのスライド溝、６４ｂは窓部５３ｂと略同形の窓部である。【０１１７】
このように構成されたカードケース１１３では、収納部１１３ｂにカード１１を収納すればその状態のまま、上側のシート部材６１の上から操作部３４ａを動かして移動遮蔽部材３４をスライドさせるだけで、非接触型ＩＣ媒体２３に対する非接触通信の可否を切替えることができる。【０１１８】
よって、既存のカード１１に対して簡易にスキミング防止を行えるので、便利である。
【実施例６】
【０１１９】
図３５は、カード１１と該カード１１を収納するカードケース１１３の双方に、協働するように設けられたスキミング防止構造を示す斜視図である。【０１２０】
すなわち、カード１１には遮蔽部と、該遮蔽部の一部を切り欠いて形成した読取許容孔が設けられ、カードケース１１３には、カード１１に形成した読取許容孔を塞ぎ、カード１１の遮蔽部とは別の遮蔽部を備えており、カード１１とカードケース１１３との相対移動で読取許容孔を開閉可能にする構成である。【０１２１】
具体的には、カード１１の非接触型ＩＣ媒体２３の上面側には、実施例１の第１固定遮蔽部材３２と同様に読取許容孔７１ａを有したカード側遮蔽部材７１が設けられる。しかし、実施例１の場合と異なり、移動遮蔽部材は不要である。移動遮蔽部材が不要であるので、それに伴って各部材のスライド溝等の切欠部分は不要となるが、その他の基本的な構成は実施例１の構成と同様である。【０１２２】
カードケース１１３は、非接触型ＩＣ媒体２３に記憶された情報を読み取り不可能にすることができる素材（磁界を遮断する性質を有するシート材）で構成されている。具体的には、遮蔽部材として機能する二枚の四辺形のシート部材７２，７３を重合し、その３辺を接合する。残りの一辺には、カード１１を出し入れする差込口１１３ａが形成され、シート部材６１，６２の間には、ポケット状の収納部１１３ｂが形成される。二枚のシート部材７２，７３、すなわちカード１１に重なり合う重合部分で形成される収納部１１３ｂは、カード１１を完全に被覆することができる大きさである。しかし、上側のシート部材７２は、下側のシート部材７３よりも若干小さく設定されており、下側のシート部材７３が若干露出している。これにより、カード１１はシート部材７３に沿って差込口１１３ａからカードケース１１３内に収納し易くなる。さらに、上側シート部材７２の差込口１１３ａ側の端部には、略半円弧状の切欠部７２ａが形成されている。【０１２３】
そして、カード１１を収納した時に上記読取許容孔７１ａに対応する上側のシート材７２の一部には、情報の読み取りを不可能に磁界を遮断するケース側遮蔽部７２ｂが形成されている。このケース側遮蔽部７２ｂの大きさは、カード１１を収納した時に図３５に示したように、カード１１の読取許容孔７１ａを覆う大きさである。また、図３６に示したように、カード１１を収納部１１３ｂから引き出すようにずらしてカード１１の端をカードケース１１３の下側のシート部材７３の端に合わせる。この時に読取許容孔７１ａがカードケース１１３のケース側遮蔽部７２ｂから外れて、情報の読み取りが可能になるように各部材の大きさが設定されている。【０１２４】
このように構成されたカード１１とカードケース１１３では、カード１１自体が情報の読み取りを許容する読取許容孔７１ａを有する。しかし、カード１１をカードケース１１３の収納部１１３ｂに収納した状態では、上記読取許容孔７１ａがカードケース１１３のケース側遮蔽部７２ｂで覆われるため、スキミングはできない。カード１１を使用する場合には、図３６に示したように、切欠部７２ａを通してカード１１に指先等を当てて、カード１１の端が下側のシート部材７３の端に一致するまでカード１１をずらせばよい。カード１１がずれることによってカード１１の読取許容孔７１ａがカードケース１１３のケース側遮蔽部７２ｂから外れて、読取許容孔７１ａが開放される。この結果、カード１１の非接触型ＩＣ媒体２３から情報を読み取ることが可能になる。【０１２５】
このように、カードケース１１３からカード１１を出し入れするだけで非接触型ＩＣ媒体２３に対する非接触通信の可否を確実に切替えることができる。この結果、記憶した情報の正当な読み取りを可能にしつつも、スキミングの防止を図ることができる。【０１２６】
しかもそのための操作は、指先等でカード１１をずらすだけであり簡単である。また、カード１１を正しく収納すると自動的にスキミング防止が図れる構造であるので、通常の使用状態においてカード１１を中途半端に引き出した不自然な状態にしておく必然性はなく、上記切り替えは正確に行え、誤操作やカードケース１１３からのカード１１の脱落を回避できる。【０１２７】
また、カード１１とカードケース１１３とに構成を分割したので、各々の構成を簡素化できる。このため、製造の簡単化やコストの低減等を図ることもできる。【０１２８】
なお、カード１１の下面側に設けられる全面を覆う遮蔽部を省略して、カードケース１１３の下面側のシート部材７３に遮蔽部を設けてもよい。
【実施例７】
【０１２９】
図３７は、情報記憶媒体して磁気ストライプ１２５を搭載したカード１１の構造説明図である。【０１３０】
このカード１１は、一方側の面の一部に、帯状の磁気ストライプ１２５が形成されている。【０１３１】
そして、スキミング防止構造として、カード１１の厚み方向の中間部に、カード大の遮蔽層１８１が形成されている。遮蔽層１８１は、箔状やシート状の金属材料を積層して形成される。他方側の表面に形成されるもよい。【０１３２】
遮蔽層１８１が磁気ストライプ１２５の他方側を覆うべくカード１１の厚み方向の中間部に設けられ、磁気ストライプ１２５は一方側の面に露出している構造であるため、磁気ストライプ１２５を有する一方側の面が、磁気ストライプ１２５に記憶された情報の読み取りを可能にするべく磁界の通過を許容する読取許容面１８２である。【０１３３】
このように構成されたカード１１では、カード１１における磁気ストライプ１２５を有しない他方側の面からのスキミングが防止できる。その一方で、読取許容面１８２を有するので、必要な情報の読み取り等は可能である。【０１３４】
また、磁気ストライプ１２５はアルミニウム等の金属材料から構成されているので、図３７（Ｂ）に仮想線で示したように、外観上にも支障を来たすこともなく、エンボス加エを容易に行うことができる。【０１３５】
この発明の構成と、上述の各実施例との対応において、この発明の情報記憶媒体は、各実施例の非接触型ＩＣ媒体２３および磁気ストライプ１２５に対応している。
重台部分は、実施例３（図３０）の重合部分５１、実施例４、５（図３３，図３４）のシート部材６１，６２、実施例６（図３６）のシート部材７２，７３に対応している。
カード付属部材は、実施例３（図３０）のカード保護具１１２、実施例４、５、６（図３２、図３４、図３５）のカードケース１１３に対応している。
遮蔽部は、実施例１、２（図２３，図２８）の第１固定遮蔽部材３２と移動遮蔽部材３４と第２固定遮蔽部材１３６、実施例３（図３１）の芯部材５２と移動遮蔽部材３４、実施例４（図３２）のシート部材６１，６２、実施例５（図３４）の芯部材６３と移動遮蔽部材３４、実施例６（図３５）のカード側遮蔽部材７１とケース側遮蔽部７２ｂ、実施例７（図３７）の遮蔽層１８１に対応している。
読取許容部は、実施例１（図２３）の読取許容孔３２ａ、実施例２（図２９）の読取許容面１３８、実施例３（図３０）の読取許容孔５２ａ、実施例４（図３２）の切欠部６１ａ、実施例５（図３４）の読取許容孔６３ａ、実施例６（図３５）の読取許容孔７１ａ、実施例７（図３７）の読取許容部８２に対応している。
固定遮蔽部は、実施例１（図２４）の第１固定遮蔽部材３２、実施例３（図３１）の芯部材５２、実施例５（図３４）の芯部材６３、実施例６（図３５）のカード側遮蔽部材７１またはケース側遮蔽部７２ｂに対応している。
移動遮蔽部は、実施例１（図２３）の移動遮蔽部材３４、実施例３（図３０）の移動遮蔽部材３４、実施例５（図３４）の移動遮蔽部材３４、実施例６（図３５）のケース側遮蔽部７２ｂまたはカード側遮蔽部材７１に対応している。
この発明は、上述の各実施例の構成のみに限定されるものではなく他の様々な形態に応用して採用することができる。【０１３６】
以下では、本発明の様々な実施形態を示す。すなわち、図３８〜図４５は、上述した実施例の変形例を示している。特に図３８及び図３９に示すＩＤカードホルダー３は、実用性の高いものである。図３８は、内部（袋部）に仕切３ａ，３ｂを備えたＩＤカードホルダー３の斜視図であり、（ａ）は情報の読み取りが不可能な状態を示しており、（ｂ）は、情報の読み取りが可能な状態を示している。また、図３９（ａ）は、図３８（ａ）のＡ−Ａ矢視図であり、図３９（ｂ）は、図３８のＢ−Ｂ矢視断面図であり、図３９（ｃ）は図３８（ｂ）のＣ−Ｃ矢視断面図である。【０１３７】
図３８（ａ）及び図３９（ａ）等に示すようにＩＤカードホルダー３内には、仕切３ａ及び３ｂが設けてある。仕切３ａ及び３ｂは、ＩＤカードホルダー３の収容空間（袋部）の両側に、互いに対向するように配置されている。そして、ＩＤカードホルダー３の収容空間内には、仕切３ａ及び３ｂを間に挟んで遮蔽部材４とＩＤカード５とが装填される。ＩＤカードホルダー３は、例えばプラスチックのような硬い素材で形成されており、ある程度の剛性を有している。なお、ＩＤカードホルダー３は、透明な素材で形成されているため、内部の仕切３ａ，３ｂを実線で描写した。しかし、収容した遮蔽部材４とＩＤカード５まで実線で描写すると、非常に理解しにくい図となるため、ＩＤカードホルダー３と重なる部分の遮蔽部材４とＩＤカード５は、敢えて破線で描写した。【０１３８】
遮蔽部材４とＩＤカード５は、各々ＩＤカードホルダー３の内周壁と仕切３ａ及び３ｂに沿って摺動することができる。また、仕切３ａ及び３ｂがあるために、遮蔽部材４とＩＤカード５とがＩＤカードホルダー３内で接することはない。図３８（ａ）、図３９（ｂ）等に示すように、ＩＤカードホルダー３の外壁には、遮蔽部材４及びＩＤカード５の移動方向に延びる長孔３ｃ（開口）が設けてある。ＩＤカードホルダー３の所有者は、この長孔３ｃを介して遮蔽部材４に触れることができる。長孔３ｃを介して遮蔽部材４に指で触れた状態で、指を長孔３ｃに沿って移動させると、図３８（ｂ）及び図３９（ｃ）に示すように遮蔽部材４は指（図示せず）と共に移動する。その結果、ＩＤカード５のＩＣチップ５ａ及びＩＣチップ５ａに接続されたループアンテナ５ｂの一部が遮蔽部材４から露出する。そして、ＩＤカード５は、ＩＤカードホルダー３内に残るが、ＩＣチップ５ａに記録された情報が読み取り可能な状態となる。指を逆方向に移動させると、遮蔽部材４は、図３８（ｂ）に示す位置から図３８（ａ）に示す位置まで移動し、ＩＤカード５のＩＣチップ５ａ及びループアンテナ５ｂは、遮蔽部材４によって遮蔽され、ＩＣチップ５ａに記録された情報の読み取りは不可能になり、スキミングを防止することができる。【０１３９】
すなわち、ＩＤカード５の所有者は、ＩＤカードホルダー３を片手で持ち、例えば親指で長孔３ｃを介して遮蔽部材４に触れ、親指を長孔３ｃに沿って移動させることにより、遮蔽部材４を移動させ、情報の読み取りを可能にしたり、逆に不可能にしたりすることができる。この操作は片手で行うことができる。【０１４０】
図４０に示すＩＤカードホルダー３は、図３９に示すＩＤカードホルダー３の構成と同じであり、遮蔽部材４に突出部材６を設けた点のみが相違している。突出部材６は、例えば、ＩＤカードホルダー３内に遮蔽部材４を収容した後に、長孔３ｃを介して突出部材６を遮蔽部材４に接着する。その結果、遮蔽部材４は、長孔３ｃに沿った移動以外は制限され、ＩＤカードホルダー３から脱落することがなくなる。また、突出部材６が長孔３ｃから外側へ突出することにより、ＩＤカードホルダー３の所有者は、指等を突出部材６に引っ掛け、楽に遮蔽部材４をスライド移動させることができるようになる。【０１４１】
図３９及び図４０に示す例では、仕切３ａ及び３ｂを設ける例を示したが、仕切３ａと仕切３ｂとを連続させ、遮蔽部材４を収容する空間とＩＤカード５を収容する空間とを完全に遮断してもよい。【０１４２】
続いて、別の実施形態を説明する。
図４１は、別のＩＤカードホルダー１４の斜視図であり、（ａ）は、情報の読み取りが不可能な状態を示しており、（ｂ）は、情報の読み取りが可能な状態を示している。ＩＤカードホルダー１４は、例えばビニールのような透明で柔らかい素材で形成されている。図４１に示すように、ＩＤカードホルダー１４には、遮蔽部材１５を収容する遮蔽部材収容空間１６と、ＩＤカード４０を装填するための開口１４ｂとが設けてある。遮蔽部材収容空間１６は、遮蔽部材１５を取り出し不能に収容している。すなわち、遮蔽部材収容空間１６には遮蔽部材１５の出口がない。遮蔽部材収容空間１６を区画するＩＤカードホルダー１４の外壁には、長孔１４ａが設けられている。この長孔１４ａを介して遮蔽部材１５の一部は、外部に露出している。【０１４３】
遮蔽部材１５には突出部材１７が固着されている。突出部材１７は、長孔１４ａから外部に突出している。そして、突出部材１７が長孔１４ａに沿ってスライド移動することができる範囲で、遮蔽部材１５は、遮蔽部材収容空間１６内を移動することができるようになっている。一方、ＩＤカードホルダー１４には、開口１４ｂを出入口とする別の収容空間が設けられている。この収容空間内には、ＩＤカード４０が収容される。【０１４４】
この開口１４ｂを出入口とする収容空間と、遮蔽部材収容空間１６とは仕切で完全に遮断されている。ただし、図４１では、図面の描写が複雑となるので、仕切の描写は省略している。よって、突出部材１７をスライド移動させても、ＩＤカード４０はＩＤカードホルダー１４に対して移動しない。その結果、図４１（ｂ）に示すＩＣチップ等の情報記録部に記録された情報の読み取りの可能な状態と、図４１（ａ）に示す情報の読み取りが不可能な状態（すなわち、スキミングを防止可能な状態）とを、突出部材１７の往復移動によって容易に切り替えることができる。また、遮蔽部材１５はＩＤカードホルダー１４から取り外す必要はないため、遮蔽部材収容空間１６内に閉じ込めたが、ＩＤカード４０は、必要に応じて別のＩＤカードと取り替え可能である。例えば、会社員が出勤する際には、ＩＤカードホルダー１４には定期券を入れ、会社に到着すると、定期券の代わりに社員用のセキュリティカードを入れるというような使用の仕方が可能である。【０１４５】
図４２は、図４１のＩＤカードホルダーの変形例を示しており、（ａ）は、情報の読み取りが不可能な状態を示しており、（ｂ）は、情報の読み取りが可能な状態を示している。すなわち、図４１に示すＩＤカードホルダー１４では、遮蔽部材１５は、短辺と平行にスライド移動するが、図４２に示すＩＤカードホルダー１８では、遮蔽部材１９は、長辺と平行にスライド移動する。すなわち、ＩＤカードホルダー１８には、四辺形の遮蔽部材１９の長辺と平行に延びる長孔１８ａ（開口）が設けられている。遮蔽部材１９に固着した突出部材２９が、長孔１８ａに沿って移動可能となっている。その結果、突出部材２９を長孔１８ａに沿って移動させることにより、図４２（ｂ）に示すように遮蔽部材１９をＩＤカードホルダー１８の長手方向に移動させることができ、ＩＤカード３９に記録された情報の読み取りを可能にすることができる。また、図４２（ａ）に示すように遮蔽部材１９をスライド移動させることにより、情報の読み取りを不可能にし、スキミングを防止することができる。なお、図４２においても、図４１と同様に仕切の描写は省略している。図４１に示すＩＤカードホルダー１４及び図４２に示すＩＤカードホルダー１８には、各々図示しない紐を通すための孔４６、４７が設けてある。孔４６に紐を通してＩＤカードホルダー１４を吊すことにより、ＩＤカード４０の出入口である開口１４ｂが、ＩＤカード４０の収容空間（袋部）の上側に配置される。よって、開口１４ｂからＩＤカード４０が落下することはない。図４２に示すＩＤカードホルダー１８についても同様である。【０１４６】
図４３及び図４４は、図３８のＩＤカードホルダー３に対して、異なる形状の遮蔽部材を収容した状態のＩＤカードホルダー３の斜視図である。図４３に示すＩＤカードホルダー３では、遮蔽部材４８に把手４８ａが設けてある。図４３に示すように、把手４８ａは、情報の読み取りが不可能な状態においてもＩＤカードホルダー３から露出している。そのため、情報の読み取りを可能にするには、把手４８ａを引っ張ることにより遮蔽部材４８をスライド移動させることができる。また、遮蔽部材４８には、ＩＤカードホルダー３の長孔３ｃと同様の長孔４８ｂが設けてある。長孔３ｃと長孔４８ｂは重なっており、図４３に示すようにＩＤカード５が露出している。よって、遮蔽部材４８はＩＤカードホルダー３内に残し、長孔３ｃと長孔４８ｂを介して指を挿入し、指でＩＤカード５をＩＤカードホルダー３に対してスライド移動させ、情報の読み取りを可能にすることができる。図４４に示す遮蔽部材４９は、ＩＤカードホルダー３内に収容した部分の形状が若干異なるが、主要な構成は図４３の遮蔽部材４８の構成と同じである。【０１４７】
図４５は、ＩＤカードホルダーの構造の変形例を示す斜視図である。すなわち、図４５に示すＩＤカードホルダー５０の表面側には長孔５０ａ（開口）が設けてあり、裏面側には長孔５０ｂ（開口）が設けてある。長孔５０ａと長孔５０ｂは、平面視で重ならないように配置されている。遮蔽部材４をずらす場合には、長孔５０ａから指を挿入し、遮蔽部材４を押圧してＩＤカードホルダー５０の外部へスライド移動させる。逆にＩＤカード５をずらす場合には、裏面側の長孔５０ｂから指を挿入し、ＩＤカード５を押圧してＩＤカードホルダー５０の外側へスライド移動させる。遮蔽部材４とＩＤカード５のどちらを移動させるかは、任意である。
【産業上の利用可能性】
【０１４８】
本発明は、ＩＣチップが埋め込まれたＩＤカードを挿入するのに適したＩＤカードホルダーと、非接触型ＩＣ媒体や磁気ストライプなどの情報記憶媒体が搭載されたカードからのスキミングを防止するスキミング防止構造に利用可能である。
【図１】
2007055295.tif 000003
【図２】
2007055295.tif 000004
【図３】
2007055295.tif 000005
【図４】
2007055295.tif 000006
【図５】
2007055295.tif 000007
【図６】
2007055295.tif 000008
【図７】
2007055295.tif 000009
【図８】
2007055295.tif 000010
【図９】
2007055295.tif 000011
【図１０】
2007055295.tif 000012
【図１１】
2007055295.tif 000013
【図１２】
2007055295.tif 000014
【図１３】
2007055295.tif 000015
【図１４】
2007055295.tif 000016
【図１５】
2007055295.tif 000017
【図１６】
2007055295.tif 000018
【図１７】
2007055295.tif 000019
【図１８】
2007055295.tif 000020
【図１９】
2007055295.tif 000021
【図２０】
2007055295.tif 000022
【図２１】
2007055295.tif 000023
【図２２】
2007055295.tif 000024
【図２３】
2007055295.tif 000025
【図２４】
2007055295.tif 000026
【図２５】
2007055295.tif 000027
【図２６】
2007055295.tif 000028
【図２７】
2007055295.tif 000029
【図２８】
2007055295.tif 000030
【図２９】
2007055295.tif 000031
【図３０】
2007055295.tif 000032
【図３１】
2007055295.tif 000033
【図３２】
2007055295.tif 000034
【図３３】
2007055295.tif 000035
【図３４】
2007055295.tif 000036
【図３５】
2007055295.tif 000037
【図３６】
2007055295.tif 000038
【図３７】
2007055295.tif 000039
【図３８】
2007055295.tif 000040
【図３９】
2007055295.tif 000041
【図４０】
2007055295.tif 000042
【図４１】
2007055295.tif 000043
【図４２】
2007055295.tif 000044
【図４３】
2007055295.tif 000045
【図４４】
2007055295.tif 000046
【図４５】
2007055295.tif 000047
【国際調査報告】
2007055295.tif 000048
2007055295.tif 000049
2007055295.tif 000050
2007055295.tif 000051
2007055295.tif 000052
2007055295.tif 000053
2007055295.tif 000054
2007055295.tif 000055